(57)【要約】【課題】従来は撮影した写真ポジを引き渡すか、デジタル画像データを取りだした上で記憶媒体に記録して引き渡すか、又はデジタル画像データを取りだした上で電子メールに添付して送信することをした上で、印刷物を制作するための様々な手続きを行わなければ画像を利用した印刷物を制作することができなかった。【解決手段】カメラ付き携帯電話で撮影した写真画像を文字情報と共に所定の電子メールサーバーに送信すると、電子メールサーバー内の写真画像を自動的に検出して取り出しを行い、同じく文字情報は文字原稿と印刷レイアウトを指定する文字情報として取り出しを行い、データベースに登録することで、印刷原稿が作成され、印刷業者によって印刷物が制作することができるようにする。【選択図】        図１
2004246840.tif 000002
【特許請求の範囲】
【請求項１】
カメラ付き携帯電話で撮影した写真画像を文字情報と共に所定の電子メールサーバーに送信すると、システムは電子メールサーバー内の写真画像を自動的に検出して取り出しを行い、システムのデータベースに写真画像として登録し、同じく文字情報は文字原稿を含む顧客情報としてデータベースに登録され、顧客情報によって選択された印刷レイアウトの雛形に画像データと文字データが貼り付けられたものを印刷原稿として、印刷業者によって印刷納品されるカメラ付き携帯電話印刷物制作システム
【発明の詳細な説明】
【０００１】
【産業上の利用分野】
本発明は、カメラ付き携帯電話の画像を電子メール送信することで、その画像を利用した印刷物制作ができるシステムに関する。
【０００２】
【従来の技術】
従来顧客は、デジタル画像データ、又は写真ポジを印刷業者に引き渡すことでその写真を利用した印刷物を制作することができたが、顧客にとっては引き渡しを行う必要があり、即時性、簡便性に欠けていた。
【０００３】
【発明が解決しようとしている課題】
顧客が撮影したデジタル画像データを送信することで、その画像を利用した印刷物を制作することができれば、顧客の即時性、簡便性が高まる。しかし従来は撮影した写真ポジを引き渡すか、デジタル画像データを取りだした上で記憶媒体に記録して引き渡すか、又はデジタル画像データを取りだし電子メールに添付して送信することをした上で、印刷物を制作するための様々な手続きを行わなければ画像を利用した印刷物を制作することができなかった。
【０００４】
そこで、本発明はカメラ付き携帯電話で撮影したデジタル画像データと文字入力した顧客情報を携帯電話のメール送信機能を用いて、所定の電子メールサーバーに送信することで、必要とする印刷物を制作できることを課題とする。
【０００５】
【課題を解決するための手段】
上記課題を解決するために、請求項１記載のカメラ付き携帯電話印刷物制作システムはカメラ付き携帯電話で撮影した写真画像を文字情報と共に所定の電子メールサーバーに送信すると、システムは電子メールサーバー内の写真画像を自動的に検出して取り出しを行い、システムのデータベースに写真画像として登録し、同じく文字情報は文字原稿を含む顧客情報としてデータベースに登録され、顧客情報によって選択された印刷レイアウトの雛形に画像データと文字データが貼り付けられたものを印刷原稿として、印刷業者によって印刷物が制作されるカメラ付き携帯電話印刷物発注システム。
【０００６】
【実施例】
次に、添付図面を参照しながら、本発明をさらに詳しく説明する。
図１は本発明にかかるカメラ付き携帯電話印刷物発注システムを示す図である。このカメラ付き携帯電話印刷物発注システムは各コンピューター等を接続するネットワーク２と、顧客の撮影した画像を電子メール送信することができるカメラ付き携帯電話群３と、その送信電波を受信する中継基地４と、送信された電子メールを受け取る電子メールサーバー５と、電子メールから画像データを取りだし蓄積する画像情報データベースと、文字情報を取り出し蓄積しかつ顧客の管理を行う顧客情報データベースとしての機能を持ち、かつこのシステムを利用するための印刷レイアウトデータベースを持つデータ蓄積型サーバーコンピューター６と、画像データと印刷レイアウトを基に印刷原稿を作成する印刷原稿作成コンピューター７と、顧客がデータ蓄積型サーバーコンピューター６に顧客登録とその発注情報を追記修正できる顧客コンピューター群８とを備えている。なおデータ蓄積型サーバーコンピューター６と印刷原稿作成コンピューター７は同一のコンピューターであっても良い。ネットワーク２は例えばＴＣＰ／ＩＰ等の通信プロトコルに従いインターネットを構成し、複数のコンピューター群により構成してもよく、コンピューター群８は、情報端末の一例である複数のパーソナルコンピューター８ａを備え、カメラ付き携帯電話群３は複数のカメラ付き携帯電話３ａを備えている。
【０００７】
図２、図３、図４、図５を用いて説明する。
本実施形態では、写真画像付き名刺の発注を例にとって説明する。顧客は自己の顔写真や販売商品の写真画像付き名刺を作成しようとする時、撮影機能３０１を持つ携帯電話３ａで撮影した名刺に貼り付けるための写真画像を、その携帯電話固有の機能を使いあらかじめ指定された電子メールサーバー５の電子メールアドレス宛てに送る。データ蓄積型サーバーコンピューター６の電子メール抽出機能６０１は定期的に電子メールサーバー５に電子メールを取得しに行き、新しい電子メールが届いていたらそのデータを読み込み、文字データ６０２と画像データ６０３を取り出した上で、そこから検索用のサムネール画像６０４を生成し、共にデータ蓄積型サーバーコンピューター６が有する画像データベース６０５に登録する。
【０００８】
またデータ蓄積型サーバーコンピューター６は顧客情報データベース６０６と印刷レイアウトデータベース６０９を有し、本実施形態を利用する顧客は予め顧客情報データベースに顧客の有するカメラ付き携帯電話３ａ又はパーソナルコンピューター８ａのインターネット機能８０１を用いて、顧客データベース６０６に顧客登録することができる。また登録された顧客はカメラ付き携帯電話３ａ又はクライアントコンピューター８ａのインターネット機能８０１を用いて、データ蓄積型サーバーコンピューター６に構築されている印刷レイアウトデータベース６０９にある印刷レイアウト雛形群を閲覧し、その中から予め発注する印刷レイアウト６１０を選択の上、選択結果を顧客情報データベース６０６に登録することができる。
【０００９】
顧客情報データベース６０６には、図４で例示されているような顧客情報６０７が登録されており、また図５で例示されているような印刷レイアウト６１０の選択の結果が登録されており、そこに登録情報を基に流し込まれる文字が顧客情報６０７から生成され、電子メールから抽出された画像データ６０３が流し込まれることで、印刷原稿７０１を作成することができるができる。
【００１０】
なお携帯電話３ａで送信された電子メールから抽出される文字情報６０２から、この顧客情報データベース６０６の顧客情報６０７と、そこに登録される印刷レイアウトデータベース６０９から選択する印刷レイアウト６１０を変更することができる。
【００１１】
印刷業者は、作成された印刷原稿７０１に基づき印刷物の制作を行うことができる。
【発明の効果】
本発明は以上に説明したような構成により次のような効果を奏する。請求項１に記載されている発明を利用すれば、画像付き印刷物を制作する際にカメラ付き携帯電話固有の画像添付電子メール送信機能を利用するだけで、制作を依頼することができるので、即時性、簡便性を高めることができる。
【図面の簡単な説明】
【図１】カメラ付き携帯電話印刷物制作システムの説明図である。
【図２】本発明において、画像データが登録されるまでについての説明図である。
【図３】本発明において印刷原稿が作成されるまでについての説明図である。
【図４】本発明における顧客情報についての説明図である。
【図５】本発明における印刷レイアウトについての説明図である。
【符号の説明】
１カメラ付き携帯電話印刷物制作システム
２ネットワーク
３カメラ付き携帯電話群
４中継基地
５電子メールサーバー
６データ蓄積型サーバーコンピューター
７印刷原稿作成コンピューター
８顧客コンピューター群
３ａカメラ付き携帯電話
８ａパーソナルコンピューター
【図１】
2004246840.tif 000003
【図２】
2004246840.tif 000004
【図３】
2004246840.tif 000005
【図４】
2004246840.tif 000006
【図５】
2004246840.tif 000007